(57)【特許請求の範囲】
【請求項１】
印字オブジェクトを所定の態様で割り付けて構成されるテンプレートを記憶した記憶部、接触操作可能なタッチパネルの表示部、及び演算部を備えた端末の前記演算部に対し、
複数の前記印字オブジェクトの選択操作を受け付ける選択受付手順と、
前記選択受付手順での受付結果に基づき、前記記憶部に記憶されている複数の前記テンプレートに対し順序づけを行う順序づけ手順と、
前記順序づけ手順で行われた前記順序づけに基づいて、複数の前記テンプレートを前記表示部に表示する表示手順と、
前記順序づけ手順での前記順序づけの開始指示を受け付ける指示受付手順と、
を実行させ、
前記順序づけ手順では、
前記指示受付手順で前記開始指示が受け付けられたことを契機に、前記テンプレートに対する順序づけが行われ、
前記指示受付手順では、
前記タッチパネルに前記印字オブジェクトが表示された状態で、当該表示された印字オブジェクトに対する所定パターンの接触操作として、２つの前記印字オブジェクトをタッチしたまま２本の指を間隔が狭まるように動かすピンチインが受け付けられる、
テンプレート処理プログラム。
【請求項２】
印字オブジェクトを所定の態様で割り付けて構成されるテンプレートを記憶した記憶部、接触操作可能なタッチパネルの表示部、及び演算部を備えた端末の前記演算部に対し、
複数の前記印字オブジェクトの選択操作を受け付ける選択受付手順と、
前記選択受付手順での受付結果に基づき、前記記憶部に記憶されている複数の前記テンプレートに対し順序づけを行う順序づけ手順と、
前記順序づけ手順で行われた前記順序づけに基づいて、複数の前記テンプレートを前記表示部に表示する表示手順と、
前記順序づけ手順での前記順序づけの開始指示を受け付ける指示受付手順と、
を実行させ、
前記順序づけ手順では、
前記指示受付手順で前記開始指示が受け付けられたことを契機に、前記テンプレートに対する順序づけが行われ、
前記指示受付手順では、
前記タッチパネルに前記印字オブジェクトが表示された状態で、当該表示された印字オブジェクトに対する所定パターンの接触操作として、２つの前記印字オブジェクトをタッチしたまま２本の指を回転させるように動かす第１回転操作が受け付けられる、
テンプレート処理プログラム。
【請求項３】
印字オブジェクトを所定の態様で割り付けて構成されるテンプレートを記憶した記憶部、接触操作可能なタッチパネルの表示部、及び演算部を備えた端末の前記演算部に対し、
複数の前記印字オブジェクトの選択操作を受け付ける選択受付手順と、
前記選択受付手順での受付結果に基づき、前記記憶部に記憶されている複数の前記テンプレートに対し順序づけを行う順序づけ手順と、
前記順序づけ手順で行われた前記順序づけに基づいて、複数の前記テンプレートを前記表示部に表示する表示手順と、
前記順序づけ手順での前記順序づけの開始指示を受け付ける指示受付手順と、
を実行させ、
前記順序づけ手順では、
前記指示受付手順で前記開始指示が受け付けられたことを契機に、前記テンプレートに対する順序づけが行われ、
前記指示受付手順では、
前記タッチパネルに前記印字オブジェクトが表示された状態で、当該表示された印字オブジェクトに対する所定パターンの接触操作として、２つの前記印字オブジェクトをタッチして一方の指を固定させたまま他方の指を回転させるように動かす第２回転操作が受け付けられる、
テンプレート処理プログラム。
【請求項４】
請求項１乃至請求項３のいずれか１項記載のテンプレート処理プログラムにおいて、
前記順序づけ手順では、
前記選択受付手順で選択された前記複数の印字オブジェクトと同一種類の同数の印字オブジェクトを含むとともに当該同数の印字オブジェクトの配置態様が互いに異なる複数のテンプレートに対し、前記配置態様に係わる第１順序づけルールに基づいて前記順序づけが行われる
ことを特徴とするテンプレート処理プログラム。
【請求項５】
請求項１乃至請求項３のいずれか１項記載のテンプレート処理プログラムにおいて、
前記順序づけ手順では、
前記選択受付手順で選択された前記複数の印字オブジェクトと同一種類の同数の印字オブジェクトと、少なくとも１つの新たな印字オブジェクトと、を備えた複数のテンプレートに対し、前記新たな印字オブジェクトに係わる第２順序づけルールに基づいて前記順序づけが行われる
ことを特徴とするテンプレート処理プログラム。
【請求項６】
請求項１乃至請求項３のいずれか１項記載のテンプレート処理プログラムにおいて、
前記順序づけ手順では、
前記選択受付手順で選択された前記複数の印字オブジェクトと同一種類の同数の印字オブジェクトを備えるとともに当該同数の印字オブジェクトのうち少なくとも１つの印字オブジェクトの長さが互いに異なる、複数のテンプレートに対し、前記長さに係わる第３順序づけルールに基づいて前記順序づけが行われる
ことを特徴とするテンプレート処理プログラム。
【請求項７】
請求項１乃至請求項３のいずれか１項記載のテンプレート処理プログラムにおいて、
前記順序づけ手順では、
前記選択受付手順で選択された前記複数の印字オブジェクトと同一種類の同数の印字オブジェクトを含むとともに当該同数の印字オブジェクトのうち少なくとも１つに装飾が付された複数のテンプレートに対し、前記装飾の態様に係わる第４順序づけルールに基づいて前記順序づけが行われる
ことを特徴とするテンプレート処理プログラム。
【請求項８】
請求項１乃至請求項７のいずれか１項記載のテンプレート処理プログラムにおいて、
前記演算部に対し、さらに、
前記順序づけ手順での前記順序づけに基づいて、前記複数のテンプレートにそれぞれ含まれる、前記選択受付手順で選択された前記複数の印字オブジェクトと同一種類の同数の印字オブジェクトそれぞれに対し、前記選択された複数の印字オブジェクトそれぞれに割り当てられた内容を割り当てる、割り当て手順を実行させ、
前記表示手順では、
前記割り当て手順での割り当て後の前記複数のテンプレートを前記表示部に表示する
ことを特徴とするテンプレート処理プログラム。
【請求項９】
請求項１乃至請求項８のいずれか１項記載のテンプレート処理プログラムにおいて、
前記印字オブジェクトは、
テキストオブジェクト、画像オブジェクト、バーコードオブジェクト、日付オブジェクト、及び、写真オブジェクト、のいずれかである
ことを特徴とするテンプレート処理プログラム。
【発明の詳細な説明】
【技術分野】
【０００１】
本発明は、テンプレートを記憶した端末によって実行されるテンプレート処理プログラムに関する。
【背景技術】
【０００２】
特許文献１には、印字オブジェクト（枠）を所定の態様で割り付けて構成されるテンプレートを記憶した端末（コンピュータ装置）が記載されている。ユーザは、この端末の表示部（表示装置）に一覧表示された複数のテンプレートの中から、自らが使用したい印字オブジェクトを含むテンプレートを選択する。
【先行技術文献】
【特許文献】
【０００３】
【特許文献１】特開２００６−９９２６１号公報
【発明の概要】
【発明が解決しようとする課題】
【０００４】
近年、端末に記憶されるテンプレートの数が膨大となりつつあり、ユーザが、一覧表示された膨大な数のテンプレートの中から、自らが使用したい印字オブジェクトを含むテンプレートを探し出すのは必ずしも容易ではなく、手間や労力がかかるため、不便である。
【０００５】
本発明の目的は、ユーザの手間や労力を低減でき、ユーザにとっての利便性を向上できる、テンプレート処理プログラムを提供することにある。
【課題を解決するための手段】
【０００６】
上記目的を達成するために、本願第１発明は、印字オブジェクトを所定の態様で割り付けて構成されるテンプレートを記憶した記憶部、接触操作可能なタッチパネルの表示部、及び演算部を備えた端末の前記演算部に対し、複数の前記印字オブジェクトの選択操作を受け付ける選択受付手順と、前記選択受付手順での受付結果に基づき、前記記憶部に記憶されている複数の前記テンプレートに対し順序づけを行う順序づけ手順と、前記順序づけ手順で行われた前記順序づけに基づいて、複数の前記テンプレートを前記表示部に表示する表示手順と、前記順序づけ手順での前記順序づけの開始指示を受け付ける指示受付手順と、を実行させ、前記順序づけ手順では、前記指示受付手順で前記開始指示が受け付けられたことを契機に、前記テンプレートに対する順序づけが行われ、前記指示受付手順では、前記タッチパネルに前記印字オブジェクトが表示された状態で、当該表示された印字オブジェクトに対する所定パターンの接触操作として、２つの前記印字オブジェクトをタッチしたまま２本の指を間隔が狭まるように動かすピンチインが受け付けられる。
また、本願第２発明は、印字オブジェクトを所定の態様で割り付けて構成されるテンプレートを記憶した記憶部、接触操作可能なタッチパネルの表示部、及び演算部を備えた端末の前記演算部に対し、複数の前記印字オブジェクトの選択操作を受け付ける選択受付手順と、前記選択受付手順での受付結果に基づき、前記記憶部に記憶されている複数の前記テンプレートに対し順序づけを行う順序づけ手順と、前記順序づけ手順で行われた前記順序づけに基づいて、複数の前記テンプレートを前記表示部に表示する表示手順と、前記順序づけ手順での前記順序づけの開始指示を受け付ける指示受付手順と、を実行させ、前記順序づけ手順では、前記指示受付手順で前記開始指示が受け付けられたことを契機に、前記テンプレートに対する順序づけが行われ、前記指示受付手順では、前記タッチパネルに前記印字オブジェクトが表示された状態で、当該表示された印字オブジェクトに対する所定パターンの接触操作として、２つの前記印字オブジェクトをタッチしたまま２本の指を回転させるように動かす第１回転操作が受け付けられる。
さらに、本願第３発明は、印字オブジェクトを所定の態様で割り付けて構成されるテンプレートを記憶した記憶部、接触操作可能なタッチパネルの表示部、及び演算部を備えた端末の前記演算部に対し、複数の前記印字オブジェクトの選択操作を受け付ける選択受付手順と、前記選択受付手順での受付結果に基づき、前記記憶部に記憶されている複数の前記テンプレートに対し順序づけを行う順序づけ手順と、前記順序づけ手順で行われた前記順序づけに基づいて、複数の前記テンプレートを前記表示部に表示する表示手順と、前記順序づけ手順での前記順序づけの開始指示を受け付ける指示受付手順と、を実行させ、前記順序づけ手順では、前記指示受付手順で前記開始指示が受け付けられたことを契機に、前記テンプレートに対する順序づけが行われ、前記指示受付手順では、前記タッチパネルに前記印字オブジェクトが表示された状態で、当該表示された印字オブジェクトに対する所定パターンの接触操作として、２つの前記印字オブジェクトをタッチして一方の指を固定させたまま他方の指を回転させるように動かす第２回転操作が受け付けられる。
【０００７】
本願発明においては、端末の演算部によってテンプレート処理プログラムが実行されることで、記憶部に記憶されたテンプレート（印字オブジェクトが所定の態様で割り付けられている）に対し、処理が行われる。
【０００８】
すなわち、例えば端末の表示部に表示された状態の複数の印字オブジェクトをユーザが適宜に選択操作すると、その選択結果が選択受付手順で受け付けられる。この選択結果に応じて、順序づけ手順において、端末の記憶部に記憶されている複数のテンプレートに対し順序づけ（例えば後述の表示手順における表示優先度の付与）が行われる。そして、その後の表示手順において、上記順序づけに応じて複数のテンプレートが表示部で表示される。
【０００９】
以上の結果、本願発明においては、記憶部に記憶されたテンプレートのうち、ユーザの使用希望に合致するものを迅速に検索し、優先的に表示することができる。これにより、膨大な数のテンプレートを一覧表示させつつ、自らが使用したい印字オブジェクトを含むテンプレートを探し出す場合に比べ、ユーザの手間や労力を著しく低減できる。この結果、ユーザにとっての利便性を向上することができる。
【発明の効果】
【００１０】
本発明によれば、ユーザの手間や労力を著しく低減でき、ユーザにとっての利便性を向上することができる。
【図面の簡単な説明】
【００１１】
【図１】本発明の一実施形態のテンプレート処理システムの全体構成を表すシステム構成図である。
【図２】テンプレート処理システムの詳細機能を表すブロック図である。
【図３】操作端末の大容量記憶装置に記憶されているテンプレートの一例を示す説明図である。
【図４】複数の印字オブジェクトが配置されたラベルイメージを含む編集画面を示す説明図である。
【図５】所定パターンの接触操作としてピンチインが行われる場合の具体的手法を説明するための説明図である。
【図６】所定パターンの接触操作として第１回転操作が行われる場合の具体的手法を説明するための説明図である。
【図７】所定パターンの接触操作として第２回転操作が行われる場合の具体的手法を説明するための説明図である。
【図８】操作端末のＣＰＵが実行する制御手順を表すフローチャートである。
【図９】順序づけルールのバリエーションその１の変形例における、所定パターンの接触操作として第２回転操作が行われる場合の具体的手法を説明するための説明図である。
【図１０】順序づけルールのバリエーションその２の変形例における、所定パターンの接触操作として第２回転操作が行われる場合の具体的手法を説明するための説明図である。
【図１１】順序づけルールのバリエーションその３の変形例における、所定パターンの接触操作として第２回転操作が行われる場合の具体的手法を説明するための説明図である。
【発明を実施するための形態】
【００１２】
以下、本発明の一実施形態を図面を参照しつつ説明する。
【００１３】
＜テンプレート処理システムの構成＞
まず、図１を参照しつつ、本実施形態のテンプレート処理システムの全体構成を説明する。
【００１４】
図１に示すように、テンプレート処理システム１は、テンプレートサーバＳＶと、操作端末２（端末に相当）と、ラベルプリンタ３と、を有する。テンプレートサーバＳＶと操作端末２とは、インターネット等のネットワークＮＷを介して相互通信可能に接続される。操作端末２とラベルプリンタ３とは、例えばＷｉ−Ｆｉ（登録商標）やＢｌｕｅｔｏｏｔｈ（登録商標）等の無線通信方式により相互通信可能に無線接続される。なお、操作端末２とラベルプリンタ３とは、ＵＳＢケーブル等を介して相互通信可能に有線接続されてもよい。
【００１５】
操作端末２は、操作ボタン１４と、表示機能を備えかつ接触操作可能なタッチパネル１７（表示部に相当）と、を有する、いわゆるスマートフォンである。なお、操作端末２は、スマートフォンに限られず、いわゆるフィーチャーフォン、タブレット型コンピュータ、ノート型コンピュータ、デスクトップ型コンピュータ等でもよく、また表示部はタッチパネルでなくてもよい。
【００１６】
ラベルプリンタ３は、操作端末２との間で各種の情報や指示信号を送受し、操作端末２でのユーザの操作に基づき、所望のテキストや画像等の印字を備えた印字ラベルＬを作成する。
【００１７】
次に、図２を参照しつつ、テンプレート処理システムの詳細機能を説明する。
【００１８】
図２に示すように、操作端末２は、ＣＰＵ１２（演算部に相当）と、ＲＡＭ及びＲＯＭ等からなるメモリ１３と、上記操作ボタン１４と、通信制御部１５と、フラッシュメモリ等の大容量記憶装置１６（記憶部に相当）と、上記タッチパネル１７と、を有する。
【００１９】
ＣＰＵ１２は、メモリ１３のＲＡＭの一時記憶機能を利用しつつ、メモリ１３のＲＯＭや大容量記憶装置１６に記憶された各種プログラムを実行することで、操作端末２全体の制御を行う。
【００２０】
通信制御部１５は、テンプレートサーバＳＶとの間でネットワークＮＷを介して行われる通信の制御を行うと共に、ラベルプリンタ３との間で行われる通信の制御を行う。
【００２１】
大容量記憶装置１６には、ＣＰＵ１２に対し後述の図８に示すフローチャートの各手順を実行させるためのテンプレート処理プログラムが記憶されている。なお、テンプレート処理プログラムは、メモリ１３のＲＯＭに予め記憶されていてもよい。また、大容量記憶装置１６には、テンプレートサーバＳＶから受信されるテンプレートＴ（後述の図３参照。詳細は後述）が記憶される。なお、大容量記憶装置１６は、本体メモリに限られず、ＳＤメモリカード等の外部メモリでもよい。また、テンプレートＴは、メモリ１３のＲＡＭに記憶されてもよい（この場合にはメモリ１３のＲＡＭが記憶部に相当）。
【００２２】
テンプレートサーバＳＶは、ＣＰＵ１２０と、ＲＡＭ及びＲＯＭ等からなるメモリ１３０と、通信制御部１５０と、ＨＤＤ等の大容量記憶装置１６０と、を有する。
【００２３】
ＣＰＵ１２０は、メモリ１３０のＲＡＭの一時記憶機能を利用しつつ、メモリ１３０のＲＯＭや大容量記憶装置１６０に記憶された各種プログラムを実行することで、テンプレートサーバＳＶ全体の制御を行う。
【００２４】
通信制御部１５０は、操作端末２との間でネットワークＮＷを介して行われる通信の制御を行う。
【００２５】
大容量記憶装置１６０には、上記印字ラベルＬの作成に係わる上記テンプレートＴが複数記憶されている。
【００２６】
ラベルプリンタ３は、制御回路２０２と、操作部２０６と、通信制御部２０８と、テープロールホルダ部２１０と、印字ヘッド２０５と、カッタ２０７と、搬送装置２０９と、を有する。
【００２７】
制御回路２０２は、ＣＰＵ、ＲＡＭ、及びＲＯＭ等からなる。制御回路２０２のＣＰＵは、ＲＡＭの一時記憶機能を利用しつつ、ＲＯＭに予め記憶された各種プログラムを実行することで、ラベルプリンタ３全体の制御を行う。
【００２８】
通信制御部２０８は、操作端末２との間で行われる通信の制御を行う。
【００２９】
制御回路２０２のＲＡＭには、操作端末２から受信される印字データが記憶される。
【００３０】
テープロールホルダ部２１０には、テープ２０３を巻回したテープロール２０４（本来は渦巻き状であるが簡略化して同心円で図示）を着脱可能である（又は、テープロール２０４を備えたカートリッジを着脱可能としてもよい）。
【００３１】
搬送装置２０９は、印字ヘッド２０５に対向して設けられており、テープロール２０４から繰り出されるテープ２０３を搬送する。
【００３２】
印字ヘッド２０５は、搬送装置２０９により搬送されるテープ２０３に印字形成を行う。
【００３３】
カッタ２０７は、印字後のテープ２０３を所定の長さに切断して印字ラベルＬとする。
【００３４】
＜テンプレート＞
上述のように操作端末２でのユーザの操作に基づきラベルプリンタ３で印字ラベルＬが作成されるとき、印字ラベルＬに対する印字内容をユーザが全てマニュアルで設定するのは、非常に煩雑である。本実施形態では、印字オブジェクト（詳細は後述）を所定の態様で割り付けて構成される上記テンプレートＴが複数用意され、テンプレートサーバＳＶの大容量記憶装置１６０に記憶されている。
【００３５】
ユーザが操作端末２において適宜のタイミングで適宜の操作を行うと、テンプレートサーバＳＶからネットワークＮＷを介して操作端末２に複数のテンプレートＴが転送され、操作端末２の大容量記憶装置１６に記憶される。なお、テンプレートＴは、操作端末２の大容量記憶装置１６に予め記憶されていてもよい。
【００３６】
ユーザは、大容量記憶装置１６に記憶されている複数のテンプレートＴのうち、意図する印字態様に適したテンプレートＴを選択し、そのテンプレートＴに含まれる印字オブジェクトの内容（テキストや画像等。詳細は後述）等を適宜編集することで、容易に所望の印字ラベルＬを作成することができる。
【００３７】
＜課題＞
通常、ユーザによるテンプレートＴの選択時には、操作端末２に記憶されている複数のテンプレートＴが一覧表示される。近年、操作端末２に記憶されるテンプレートＴの数が膨大になりつつあり、ユーザが、一覧表示された膨大な数のテンプレートＴの中から、自らが使用したい印字オブジェクトを含むテンプレートＴを探し出すのは必ずしも容易ではない。
【００３８】
＜本実施形態の特徴＞
本実施形態の特徴は、上記のようにテンプレートＴの表示を行う場合に、大容量記憶装置１６に記憶されているテンプレートＴのうち、ユーザの使用希望に合致するテンプレートＴを迅速に検索し、優先的に表示する手法にある。以下、その詳細を説明する。
【００３９】
＜テンプレートの一例＞
図３に、操作端末２の大容量記憶装置１６に記憶されているテンプレートＴの一例を示す。
【００４０】
図３において、この例では、操作端末２の大容量記憶装置１６には、複数のテンプレートＴが記憶されている。各テンプレートＴは、印字オブジェクトとして、テキストが割り当てられるテキストオブジェクトＴｅ、予め決められた複数の画像のうち１つの画像が割り当てられる画像オブジェクトＰｉ、バーコードが割り当てられるバーコードオブジェクトＢａ、日付が割り当てられる日付オブジェクトＤａ、及び、操作端末２のカメラ（図示せず）により撮像されて大容量記憶装置１６に記憶された１つの写真が割り当てられる写真オブジェクトＰｈ、のいずれかを少なくとも１つ含む。また、テンプレートＴには、少なくとも１つの印字オブジェクトに装飾Ｆ（例えば枠線等）が付されているものがある。
【００４１】
＜具体的手法＞
以下、図４〜図７を参照しつつ、具体的手法を説明する。
【００４２】
図４において、ユーザが操作端末２において所定のアプリケーションを起動し適宜の操作を行うと、タッチパネル１７に、ラベルイメージＬＩを含む適宜の編集画面１７ａが表示される。ユーザがタッチパネル１７に対し適宜の接触操作を行って印字オブジェクトの位置を指定しつつ印字オブジェクトを設定すると、編集画面１７ａのラベルイメージＬＩ内の上記指定された位置に上記設定された印字オブジェクトが配置される。
【００４３】
例えば、ユーザが所望のテキストを入力すると、その入力されたテキストが割り当てられた上記テキストオブジェクトＴｅが配置される。また、ユーザが例えば画像追加ボタンをタップし予め決められた複数の画像のうちから所望の画像を選択すると、その選択された画像が割り当てられた上記画像オブジェクトＰｉが配置される。また、ユーザが例えばバーコード追加ボタンをタップし所望のテキストを入力すると、その入力されたテキストをコード化したバーコードが割り当てられた上記バーコードオブジェクトＢａが配置される。
【００４４】
図４に示す例では、編集画面１７ａのラベルイメージＬＩ内の、図中左側に、「てすと」のテキストが割り当てられたテキストオブジェクトＴｅが配置され、図中右側に、ビジネスバッグ画像が割り当てられた画像オブジェクトＰｉが配置されている。
【００４５】
そして、タッチパネル１７に、複数の印字オブジェクトが配置されたラベルイメージＬＩを含む編集画面１７ａが表示された状態で、ユーザがタッチパネル１７上の複数の印字オブジェクトをタッチ（＝複数の印字オブジェクトの選択操作）した後、当該複数の印字オブジェクトに対し所定パターンの接触操作（順序づけの開始指示に相当）を行うと、操作端末２において、大容量記憶装置１６に記憶されている複数のテンプレートＴに対し順序づけが開始される。本実施形態では、大容量記憶装置１６に記憶されている、上記接触操作が行われた２つの印字オブジェクトと同一種類の同数の印字オブジェクトを含むと共に当該同数の印字オブジェクトの配置態様が互いに異なる複数のテンプレートＴに対し、当該配置態様に係わる第１順序づけルールに基づいて順序づけが行われる。その後、タッチパネル１７に、上記順序づけに応じて（例えば優先度が高いテンプレートＴが上段に表示されるように）複数のテンプレートＴが表示された選択画面１７ｂ（後述の図５等参照）が表示される。このとき、選択画面１７ｂに表示される各テンプレートＴの各印字オブジェクトに割り当てられる内容は、上記編集画面１７ａにおいてユーザが設定した内容に置き換えられる。
【００４６】
＜パターンその１＞
例えば、図５に示すように、ユーザが２本の指によってタッチパネル１７上の２つの印字オブジェクトをタッチした後、上記所定パターンの接触操作として、当該２つの印字オブジェクトに対し、それらをタッチしたまま２本の指を間隔が狭まるように動かす、いわゆるピンチインを行った場合がある。この場合、操作端末２において、大容量記憶装置１６に記憶されている、上記ピンチインが行われた２つの印字オブジェクトと同一種類の２つの印字オブジェクトを含むと共に当該２つの印字オブジェクトの配置態様が互いに異なる複数のテンプレートＴに対し、上記第１順序づけルールに基づいて順序づけが行われる。例えば、このときの第１順序づけルールでは、優先度が高い順に、上記ピンチインが行われた２つの印字オブジェクトの並びと同一並びの２つの印字オブジェクトを備えたテンプレートＴ、上記ピンチインが行われた２つの印字オブジェクトの並びと同一並びの２つの印字オブジェクトを備えかつ当該２つの印字オブジェクトの少なくとも１つに対し装飾Ｆが付されたテンプレートＴ、上記ピンチインが行われた２つの印字オブジェクトの並びと逆並びの２つの印字オブジェクトを備えたテンプレートＴ、上記ピンチインが行われた２つの印字オブジェクトの並びを９０°回転させた並びの２つの印字オブジェクトを備えたテンプレートＴ、となるように順序づけされる。
【００４７】
図５に示す例では、ユーザは、上記編集画面１７ａのラベルイメージＬＩ内の、図中左側に位置するテキストオブジェクトＴｅと、図中右側に位置する画像オブジェクトＰｉと、をタッチした後、当該テキストオブジェクトＴｅ及び画像オブジェクトＰｉに対しピンチインを行う。これにより、大容量記憶装置１６に記憶されている、テキストオブジェクトＴｅ及び画像オブジェクトＰｉを含むと共にテキストオブジェクトＴｅ及び画像オブジェクトＰｉの配置態様が互いに異なるテンプレートＴ１，Ｔ２，Ｔ３，Ｔ４等を含む複数のテンプレートＴに対し、上記第１順序づけルールに基づいて順序づけが行われる。この場合、優先度が高い順に、図中左側にテキストオブジェクトＴｅ（「プリンター」のテキストが割り当てられている）が配置されかつ図中右側に画像オブジェクトＰｉ（用紙画像が割り当てられている）が配置されたテンプレートＴ１、図中左側にテキストオブジェクトＴｅ（「プリンター」のテキストが割り当てられている）が配置されかつ図中右側に画像オブジェクトＰｉ（用紙画像が割り当てられている）が配置されかつそれらテキストオブジェクトＴｅ及び画像オブジェクトＰｉを囲むように装飾Ｆが付されたテンプレートＴ２、図中右側にテキストオブジェクトＴｅ（「プリンター」のテキストが割り当てられている）が配置されかつ図中左側に画像オブジェクトＰｉ（用紙画像が割り当てられている）が配置されたテンプレートＴ３、図中上側にテキストオブジェクトＴｅ（「プリンター」のテキストが割り当てられている）が配置されかつ図中下側に画像オブジェクトＰｉ（用紙画像が割り当てられている）が配置されたテンプレートＴ４、と順序づけされる。その後、上記選択画面１７ｂにおいて、各テンプレートＴのテキストオブジェクトＴｅに上記編集画面１７ａにおいてユーザが入力した「てすと」のテキストが割り当てられかつ画像オブジェクトＰｉに上記編集画面１７ａにおいてユーザが選択したビジネスバッグ画像が割り当てられた状態で、上記テンプレートＴ１が最上段、上記テンプレートＴ２がその下段、上記テンプレートＴ３がさらに下段、上記テンプレートＴ４がさらに下段に表示される。
【００４８】
＜パターンその２＞
また例えば、図６に示すように、ユーザが２本の指によってタッチパネル１７上の２つの印字オブジェクトをタッチした後、上記所定パターンの接触操作として、当該２つの印字オブジェクトに対し、それらをタッチしたまま２本の指を略９０°回転させるように動かす回転操作（以下適宜「第１回転操作」という）を行った場合がある。この場合、操作端末２において、大容量記憶装置１６に記憶されている、上記第１回転操作が行われた２つの印字オブジェクトと同一種類の２つの印字オブジェクトを含むと共に当該２つの印字オブジェクトの配置態様が上記第１回転操作により指定された配置態様の互いに異なる複数のテンプレートＴに対し、上記第１順序づけルールに基づいて順序づけが行われる。例えば、このときの第１順序づけルールでは、優先度が高い順に、上記第１回転操作により指定された配置態様の２つの印字オブジェクトを備えたテンプレートＴ、上記第１回転操作により指定された配置態様の２つの印字オブジェクトを備えかつ当該２つの印字オブジェクトのうち少なくとも１つの印字オブジェクトとしてのテキストオブジェクトＴｅが自動長であるテンプレートＴ、上記第１回転操作により指定された配置態様の２つの印字オブジェクトと少なくとも１つの新たな印字オブジェクトとを備えたテンプレートＴ、となるように順序づけされる。
【００４９】
図６に示す例では、ユーザは、上記編集画面１７ａのラベルイメージＬＩ内の、図中左側に位置するテキストオブジェクトＴｅと、図中右側に位置する画像オブジェクトＰｉと、をタッチした後、当該テキストオブジェクトＴｅ及び画像オブジェクトＰｉに対し、テキストオブジェクトＴｅが図中上側で画像オブジェクトＰｉが図中下側となるように第１回転操作を行う。これにより、大容量記憶装置１６に記憶されている、テキストオブジェクトＴｅ及び画像オブジェクトＰｉを含むと共に、テキストオブジェクトＴｅ及び画像オブジェクトＰｉの配置態様がテキストオブジェクトＴｅが図中上側で画像オブジェクトＰｉが図中下側の互いに異なるテンプレートＴ４，Ｔ５，Ｔ６等を含む複数のテンプレートＴに対し、上記第１順序づけルールに基づいて順序づけが行われる。この場合、優先度が高い順に、図中上側にテキストオブジェクトＴｅ（「プリンター」のテキストが割り当てられている）が配置されかつ図中下側に画像オブジェクトＰｉ（用紙画像が割り当てられている）が配置された上記テンプレートＴ４、図中上側にテキストオブジェクトＴｅ（「プリンター」のテキストが割り当てられている）が配置されかつ図中下側に画像オブジェクトＰｉ（用紙画像が割り当てられている）が配置されかつ図中上側のテキストオブジェクトＴｅが自動長であるテンプレートＴ５、図中上側にテキストオブジェクトＴｅ（「プリンター」のテキストが割り当てられている）が配置されかつ図中下側に画像オブジェクトＰｉ（用紙画像が割り当てられている）が配置されかつ図中右側に画像オブジェクトＰｉ（鉛筆画像が割り当てられている）が配置されたテンプレートＴ６、と順序づけされる。その後、上記選択画面１７ｂにおいて、各テンプレートＴのテキストオブジェクトＴｅに上記編集画面１７ａにおいてユーザが入力した「てすと」のテキストが割り当てられかつ画像オブジェクトＰｉ（但し、鉛筆画像が割り当てられた画像オブジェクトＰｉは除く）に上記編集画面１７ａにおいてユーザが選択したビジネスバッグ画像が割り当てられた状態で、上記テンプレートＴ４が最上段、上記テンプレートＴ５がその下段、上記テンプレートＴ６がさらに下段に表示される。
【００５０】
＜パターンその３＞
また例えば、図７に示すように、ユーザが２本の指によってタッチパネル１７上の２つの印字オブジェクトをタッチした後、上記所定パターンの接触操作として、当該２つの印字オブジェクトに対し、それらをタッチしたまま一方の指を固定させたまま他方の指を回転させるように動かす回転操作（以下適宜「第２回転操作」という）を行った場合がある。この場合、操作端末２において、大容量記憶装置１６に記憶されている、上記第２回転操作が行われた２つの印字オブジェクトと同一種類の２つの印字オブジェクトを含むと共に当該２つの印字オブジェクトの配置態様が上記第２回転操作により指定された配置態様の互いに異なる複数のテンプレートＴに対し、上記第１順序づけルールに基づいて順序づけが行われる。例えば、このときの第１順序づけルールでは、優先度が高い順に、上記第２回転操作により指定された配置態様の２つの印字オブジェクトを備えたテンプレートＴ、上記第２回転操作により指定された配置態様の２つの印字オブジェクトと少なくとも１つの新たな印字オブジェクトとを備えたテンプレートＴ、となるように順序づけされる。
【００５１】
図７に示す例では、ユーザは、上記編集画面１７ａのラベルイメージＬＩ内の、図中左側に位置するテキストオブジェクトＴｅと、図中右側に位置する画像オブジェクトＰｉと、をタッチした後、当該テキストオブジェクトＴｅ及び画像オブジェクトＰｉに対し、テキストオブジェクトＴｅの位置はそのままで画像オブジェクトＰｉが図中右上側となるように第２回転操作を行う。これにより、大容量記憶装置１６に記憶されている、テキストオブジェクトＴｅ及び画像オブジェクトＰｉを含むと共に、テキストオブジェクトＴｅ及び画像オブジェクトＰｉの配置態様がテキストオブジェクトＴｅが図中左側で画像オブジェクトＰｉが図中右上側の互いに異なるテンプレートＴ７，Ｔ８等を含む複数のテンプレートＴに対し、上記第１順序づけルールに基づいて順序づけが行われる。この場合、優先度が高い順に、図中左側にテキストオブジェクトＴｅ（「プリンター」のテキストが割り当てられている）が配置されかつ図中右上側に画像オブジェクトＰｉ（用紙画像が割り当てられている）が配置された上記テンプレートＴ７、図中左側にテキストオブジェクトＴｅ（「プリンター」のテキストが割り当てられている）が配置されかつ図中右上側に画像オブジェクトＰｉ（用紙画像が割り当てられている）が配置されかつ図中右下側に画像オブジェクトＰｉ（鉛筆画像が割り当てられている）が配置されたテンプレートＴ８、と順序づけされる。その後、上記選択画面１７ｂにおいて、各テンプレートＴのテキストオブジェクトＴｅに上記編集画面１７ａにおいてユーザが入力した「てすと」のテキストが割り当てられかつ画像オブジェクトＰｉ（但し、鉛筆画像が割り当てられた画像オブジェクトＰｉは除く）に上記編集画面１７ａにおいてユーザが選択したビジネスバッグ画像が割り当てられた状態で、上記テンプレートＴ７が最上段、上記テンプレートＴ８がその下段に表示される。
【００５２】
＜制御手順＞
以下、図８を参照しつつ、上記手法を実現するために、操作端末２のＣＰＵ１２が大容量記憶装置１６に記憶されたテンプレート処理プログラムに基づき実行する制御手順を説明する。
【００５３】
図８において、このフローチャートに示す処理は、上記テンプレート処理プログラムによる所定のアプリケーションが起動されたことを契機に開始される。
【００５４】
まず、ステップＳ１０で、ＣＰＵ１２は、ユーザによる適宜の操作に応じて、タッチパネル１７に、ラベルイメージＬＩを含む編集画面１７ａを表示させる。
【００５５】
その後、ステップＳ２０で、ＣＰＵ１２は、ユーザによるタッチパネル１７に対する適宜の接触操作による、印字オブジェクトの位置の指定及び印字オブジェクトの設定を受け付ける。
【００５６】
そして、ステップＳ３０で、ＣＰＵ１２は、上記ステップＳ２０での受付結果に基づき、編集画面１７ａのラベルイメージＬＩ内に印字オブジェクトを配置する。
【００５７】
その後、ステップＳ４０で、ＣＰＵ１２は、タッチパネル１７に、複数の印字オブジェクトが配置されたラベルイメージＬＩを含む編集画面１７ａが表示された状態で、ユーザによるタッチパネル１７上の２つの印字オブジェクトのタッチを受け付ける。なお、このステップＳ４０が、各請求項記載の選択受付手順に相当する。
【００５８】
そして、ステップＳ５０で、ＣＰＵ１２は、ユーザによる、上記ステップＳ４０でタッチされた２つの印字オブジェクトに対する所定パターンの接触操作が受け付けられる。なお、このステップＳ５０が、各請求項記載の指示受付手順に相当する。
【００５９】
その後、ステップＳ６０で、ＣＰＵ１２は、上記ステップＳ４０，Ｓ５０での受付結果に基づき、大容量記憶装置１６に記憶されている複数のテンプレートＴに記憶されている、上記ステップＳ４０でタッチされて上記ステップＳ５０で接触操作が行われた２つの印字オブジェクトと同一種類の同数の印字オブジェクトを含むと共に当該同数の印字オブジェクトの配置態様が互いに異なる複数のテンプレートＴに対し、上記第１順序づけルールに基づき順序づけを行う。なお、このステップＳ６０が、各請求項記載の順序づけ手順に相当する。
【００６０】
そして、ステップＳ６５で、ＣＰＵ１２は、上記ステップＳ６０で行われた順序づけに基づいて、表示対象となる複数のテンプレートＴにそれぞれ含まれる、上記ステップＳ４０でタッチされた２つの印字オブジェクトと同一種類の同数の印字オブジェクトそれぞれの内容を、上記タッチされた２つの印字オブジェクトそれぞれに割り当てられた内容に置き換える。なお、このステップＳ６５が、各請求項記載の割り当て手順に相当する。
【００６１】
そして、ステップＳ７０で、ＣＰＵ１２は、上記ステップＳ６０で行われた順序づけに基づいて、タッチパネル１７に、当該順序づけに応じて（例えば優先度が高いテンプレートＴが上段に表示されるように）上記ステップＳ６５での割り当て後の複数のテンプレートＴが表示された選択画面１７ｂを表示する。なお、このステップＳ７０が、各請求項記載の表示手順に相当する。
【００６２】
その後、ステップＳ８０で、ＣＰＵ１２は、タッチパネル１７に、複数のテンプレートＴが表示された選択画面１７ｂが表示された状態で、ユーザによるタッチパネル１７に対する適宜の接触操作による、１つのテンプレートＴの選択を受け付ける。
【００６３】
そして、ステップＳ９０で、ＣＰＵ１２は、編集画面１７ａのラベルイメージＬＩ内に、上記ステップＳ８０で選択されたテンプレートＴを構成する複数の印字オブジェクトを配置し、ユーザによるタッチパネル１７に対する適宜の接触操作による、ラベルイメージＬＩの編集操作を受け付ける。
【００６４】
その後、ステップＳ１００で、ＣＰＵ１２は、上記ステップ９０での受付結果に基づき、ラベルイメージＬＩを編集する。
【００６５】
そして、ステップＳ１１０で、ＣＰＵ１２は、ユーザによるタッチパネル１７に対する適宜の接触操作に応じて、上記ステップＳ１００で編集後のラベルイメージＬＩに対応した印字データを、通信制御部１５を介してラベルプリンタ３に送信する。これにより、このフローチャートに示す処理が終了される。
【００６６】
＜本実施形態の効果＞
以上説明したように、本実施形態においては、操作端末２のタッチパネル１７に表示された状態の複数の印字オブジェクトをユーザが適宜に選択操作すると、その選択結果が受け付けられる。この選択結果に応じて、操作端末２の大容量記憶装置１６に記憶されている複数のテンプレートＴに対し順序づけが行われる。その後、上記順序づけに応じて複数のテンプレートＴがタッチパネル１７で表示される。以上の結果、本実施形態においては、大容量記憶装置１６に記憶されたテンプレートＴのうち、ユーザの使用希望に合致するものを迅速に検索し、優先的に表示することができる。これにより、膨大な数のテンプレートＴを一覧表示させつつ、自らが使用したい印字オブジェクトを含むテンプレートＴを探し出す場合に比べ、ユーザの手間や労力を著しく低減できる。この結果、ユーザにとっての利便性を向上することができる。
【００６７】
また、本実施形態では特に、順序づけの開始指示が受け付けられたことを契機に、上記テンプレートＴに対する順序づけが行われる。これにより、ユーザが複数の印字オブジェクトを選択した後に、適宜の操作で順序づけの開始指示を行うことで、複数のテンプレートＴを上記順序づけに応じた順序でタッチパネル１７に表示させることができる。
【００６８】
また、本実施形態では特に、タッチパネル１７に印字オブジェクトが表示された状態で、当該表示された印字オブジェクトに対する所定パターンの接触操作が受け付けられる。これにより、ユーザが複数の印字オブジェクトを選択した後に、タッチパネル１７で所定パターンの接触操作を行うことで、複数のテンプレートＴを上記順序づけに応じた順序でタッチパネル１７に表示させることができる。
【００６９】
また、本実施形態では特に、上記選択された複数の印字オブジェクトと同一種類の同数の印字オブジェクトを含むとともに当該同数の印字オブジェクトの配置態様が互いに異なる複数のテンプレートＴに対し、当該配置態様に係わる第１順序づけルールに基づいて順序づけが行われる。これにより、ユーザが選択した複数の印字オブジェクトを各種の配置態様でそれぞれ含む複数のテンプレートＴを、上記配置態様に係る適宜のルール（第１順序づけルール）に沿った順番で確実に表示することができる。
【００７０】
また、本実施形態では特に、上記順序づけに基づいて、複数のテンプレートにそれぞれ含まれる、上記選択された複数の印字オブジェクトと同一種類の同数の印字オブジェクトそれぞれに対し、上記選択された複数の印字オブジェクトそれぞれに割り当てられた内容を割り当て、その割り当て後の複数のテンプレートをタッチパネル１７に表示する。これにより、ユーザが設定した内容を複数の印字オブジェクトに反映させた形で複数のテンプレートＴを表示することができ、ユーザにとっての利便性をさらに向上することができる。
【００７１】
＜変形例等＞
なお、本発明は、上記実施形態に限られるものではなく、その趣旨及び技術的思想を逸脱しない範囲内で種々の変形が可能である。以下、その変形例を説明する。
【００７２】
（１）順序づけルールのバリエーションその１
本変形例では、操作端末２において、ユーザがタッチパネル１７上の複数の印字オブジェクトをタッチした後、当該複数の印字オブジェクトに対し所定パターンの接触操作を行うと、大容量記憶装置１６に記憶されている、上記接触操作が行われた２つの印字オブジェクトと同一種類の同数の印字オブジェクトと少なくとも１つの新たな印字オブジェクトと備えた複数のテンプレートＴに対し、当該新たな印字オブジェクトに係わる第２順序づけルールに基づいて順序づけが行われる。
【００７３】
以下では、上記所定パターンの接触操作として、ピンチインが行われた場合を例にとって説明する。
【００７４】
すなわち、例えば、図９に示すように、ユーザが２本の指によってタッチパネル１７上の２つの印字オブジェクトをタッチした後、ピンチインを行うと、操作端末２において、大容量記憶装置１６に記憶されている、上記ピンチインが行われた２つの印字オブジェクトと同一種類の２つの印字オブジェクトと少なくとも１つの新たな印字オブジェクトと備えた複数のテンプレートＴに対し、上記第２順序づけルールに基づいて順序づけが行われる。例えば、このときの第２順序づけルールでは、優先度が高い順に、上記ピンチインが行われた２つの印字オブジェクトと同一種類の２つの印字オブジェクトと新たなバーコードオブジェクトＢａと備えたテンプレートＴ、上記ピンチインが行われた２つの印字オブジェクトと同一種類の２つの印字オブジェクトと新たな日付オブジェクトＤａと備えたテンプレートＴ、上記ピンチインが行われた２つの印字オブジェクトと同一種類の２つの印字オブジェクトと新たな写真オブジェクトＰｈと備えたテンプレートＴ、となるように順序づけされる。
【００７５】
図９に示す例では、ユーザは、上記編集画面１７ａのラベルイメージＬＩ内の、図中左側に位置するテキストオブジェクトＴｅと、図中右側に位置する画像オブジェクトＰｉと、をタッチした後、当該テキストオブジェクトＴｅ及び画像オブジェクトＰｉに対しピンチインを行う。これにより、大容量記憶装置１６に記憶されている、テキストオブジェクトＴｅ及び画像オブジェクトＰｉと新たな印字オブジェクトとを備えたテンプレートＴ９，Ｔ１０，Ｔ１１等を含む複数のテンプレートＴに対し、上記第２順序づけルールに基づいて順序づけが行われる。この場合、優先度が高い順に、図中左側にテキストオブジェクトＴｅ（「プリンター」のテキストが割り当てられている）が配置されかつ図中中央に画像オブジェクトＰｉ（用紙画像が割り当てられている）が配置されかつ図中右側にバーコードオブジェクトＢａ（所定のテキストをコード化したＱＲコード（登録商標）が割り当てられている）が配置されたテンプレートＴ９、図中左上側にテキストオブジェクトＴｅ（「プリンター」のテキストが割り当てられている）が配置されかつ図中右側に画像オブジェクトＰｉ（用紙画像が割り当てられている）が配置されかつ図中左下側に日付オブジェクトＤａ（「２０１５／０９／３０」の日付が割り当てられている）が配置されたテンプレートＴ１０、図中左側にテキストオブジェクトＴｅ（「プリンター」のテキストが割り当てられている）が配置されかつ図中中央に画像オブジェクトＰｉ（用紙画像が割り当てられている）が配置されかつ図中右側に写真オブジェクトＰｈ（写真オブジェクトＰｈであることを表すマークが表記されるのみで写真は割り当てられていない）が配置されたテンプレートＴ１１、と順序づけされる。その後、上記選択画面１７ｂにおいて、各テンプレートＴのテキストオブジェクトＴｅに上記編集画面１７ａにおいてユーザが入力した「てすと」のテキストが割り当てられかつ画像オブジェクトＰｉに上記編集画面１７ａにおいてユーザが選択したビジネスバッグ画像が割り当てられた状態で、上記テンプレートＴ９が最上段、上記テンプレートＴ１０がその下段、上記テンプレートＴ１１がさらに下段に表示される。
【００７６】
本変形例においても、上記実施形態と同様の効果を得る。また、本変形例では、上記選択された複数の印字オブジェクトと同一種類の同数の印字オブジェクトと、少なくとも１つの新たな印字オブジェクトと、を備えた複数のテンプレートＴに対し、当該新たな印字オブジェクトに係わる第２順序づけルールに基づいて順序づけが行われる。これにより、ユーザが選択した複数の印字オブジェクトに加え、さらに少なくとも１つの印字オブジェクトをそれぞれ含む複数のテンプレートＴを、上記新たなオブジェクトに係わる適宜のルール（第２順序づけルール）に沿った順番で確実に表示することができる。
【００７７】
（２）順序づけルールのバリエーションその２
本変形例では、操作端末２において、ユーザがタッチパネル１７上の複数の印字オブジェクトをタッチした後、当該複数の印字オブジェクトに対し所定パターンの接触操作を行うと、大容量記憶装置１６に記憶されている、上記接触操作が行われた２つの印字オブジェクトと同一種類の同数の印字オブジェクトを備えると共に当該同数の印字オブジェクトのうち少なくとも１つの印字オブジェクトの長さが互いに異なる複数のテンプレートＴに対し、当該長さに係わる第３順序づけルールに基づいて順序づけが行われる。
【００７８】
以下では、上記所定パターンの接触操作として、ピンチインが行われた場合を例にとって説明する。
【００７９】
すなわち、例えば、図１０に示すように、ユーザが２本の指によってタッチパネル１７上の２つの印字オブジェクトをタッチした後、ピンチインを行うと、操作端末２において、大容量記憶装置１６に記憶されている、上記ピンチインが行われた２つの印字オブジェクトと同一種類の２つの印字オブジェクトを備えると共に当該２つの印字オブジェクトのうち少なくとも１つの印字オブジェクトの長さが互いに異なる複数のテンプレートＴに対し、上記第３順序づけルールに基づいて順序づけが行われる。例えば、このときの第３順序づけルールでは、上記ピンチインが行われた２つの印字オブジェクトと同一種類の２つの印字オブジェクトを備えかつ当該印字オブジェクトの長さと上記ピンチインが行われた印字オブジェクトの長さとの差が、小さいテンプレートＴほど優先度が高く、大きいテンプレートＴほど優先度が低くなるように、順序づけされる。
【００８０】
図１０に示す例では、ユーザは、上記編集画面１７ａのラベルイメージＬＩ内の、図中左側に位置する長さＸ１のテキストオブジェクトＴｅと、図中右側に位置する画像オブジェクトＰｉと、をタッチした後、当該テキストオブジェクトＴｅ及び画像オブジェクトＰｉに対しピンチインを行う。これにより、大容量記憶装置１６に記憶されている、テキストオブジェクトＴｅ及び画像オブジェクトＰｉを備えかつテキストオブジェクトＴｅの長さが互いに異なるテンプレートＴ１，Ｔ１２，Ｔ１３等を含む複数のテンプレートＴに対し、上記第３順序づけルールに基づいて順序づけが行われる。この場合、優先度が高い順に、図中左側に長さＸ２（Ｘ１との差がほとんどない）のテキストオブジェクトＴｅ（「営業部」のテキストが割り当てられている）が配置されかつ図中右側に画像オブジェクトＰｉ（用紙画像が割り当てられている）が配置されたテンプレートＴ１２、図中左側に長さＸ３（Ｘ１との差がＸ２よりもある）のテキストオブジェクトＴｅ（「プリンター」のテキストが割り当てられている）が配置されかつ図中右側に画像オブジェクトＰｉ（用紙画像が割り当てられている）が配置された上記テンプレートＴ１、図中左側に長さＸ４（Ｘ１との差がＸ３よりもある）のテキストオブジェクトＴｅ（「知的財産部」のテキストが割り当てられている）が配置されかつ図中右側に画像オブジェクトＰｉ（用紙画像が割り当てられている）が配置されたテンプレートＴ１３、と順序づけされる。その後、上記選択画面１７ｂにおいて、各テンプレートＴのテキストオブジェクトＴｅに上記編集画面１７ａにおいてユーザが入力した「てすと」のテキストが割り当てられかつ画像オブジェクトＰｉに上記編集画面１７ａにおいてユーザが選択したビジネスバッグ画像が割り当てられた状態で、上記テンプレートＴ１２が最上段、上記テンプレートＴ１がその下段、上記テンプレートＴ１３がさらに下段に表示される。
【００８１】
本変形例においても、上記実施形態と同様の効果を得る。また、本変形例では、上記選択された複数の印字オブジェクトと同一種類の同数の印字オブジェクトを備えるとともに当該同数の印字オブジェクトのうち少なくとも１つの印字オブジェクトの長さが互いに異なる、複数のテンプレートＴに対し、当該長さに係わる第３順序づけルールに基づいて順序づけが行われる。これにより、ユーザが選択した複数の印字オブジェクトを含み、それらのうち少なくとも１つの印字オブジェクトの長さがそれぞれ異なる複数のテンプレートＴを、上記オブジェクト長さに係わる適宜のルール（第３順序づけルール）に沿った順番で確実に表示することができる。
【００８２】
（３）順序づけルールのバリエーションその３
本変形例では、操作端末２において、ユーザがタッチパネル１７上の複数の印字オブジェクトをタッチした後、当該複数の印字オブジェクトに対し所定パターンの接触操作を行うと、大容量記憶装置１６に記憶されている、上記接触操作が行われた２つの印字オブジェクトと同一種類の同数の印字オブジェクトを含むと共に当該同数の印字オブジェクトのうち少なくとも１つに装飾Ｆが付された複数のテンプレートＴに対し、当該装飾の態様に係わる第４順序づけルールに基づいて順序づけが行われる。
【００８３】
以下では、上記所定パターンの接触操作として、ピンチインが行われた場合を例にとって説明する。
【００８４】
すなわち、例えば、図１１に示すように、ユーザが２本の指によってタッチパネル１７上の２つの印字オブジェクトをタッチした後、ピンチインを行うと、操作端末２において、大容量記憶装置１６に記憶されている、上記ピンチインが行われた２つの印字オブジェクトと同一種類の２つの印字オブジェクトを含むと共に当該２つの印字オブジェクトのうち少なくとも１つに装飾Ｆが付された複数のテンプレートＴに対し、上記第４順序づけルールに基づいて順序づけが行われる。例えば、このときの第４順序づけルールでは、優先度が高い順に、上記ピンチインが行われた２つの印字オブジェクトと同一種類の２つの印字オブジェクトを含みかつ当該２つの印字オブジェクトに共通の１つの装飾Ｆが付されたテンプレートＴ、上記ピンチインが行われた２つの印字オブジェクトと同一種類の２つの印字オブジェクトを含みかつ当該２つの印字オブジェクトに別々の装飾Ｆが付されたテンプレートＴ、上記ピンチインが行われた２つの印字オブジェクトと同一種類の２つの印字オブジェクトを含みかつ当該２つの印字オブジェクトのうち一方のみに装飾Ｆが付されたテンプレートＴ、となるように順序づけされる。
【００８５】
図１１に示す例では、ユーザは、上記編集画面１７ａのラベルイメージＬＩ内の、図中左側に位置するテキストオブジェクトＴｅと、図中右側に位置する画像オブジェクトＰｉと、をタッチした後、当該テキストオブジェクトＴｅ及び画像オブジェクトＰｉに対しピンチインを行う。これにより、大容量記憶装置１６に記憶されている、テキストオブジェクトＴｅ及び画像オブジェクトＰｉを含みそれらテキストオブジェクトＴｅ及び画像オブジェクトＰｉのうち少なくとも１つに装飾Ｆが付されたテンプレートＴ１４，１５，１６等を含む複数のテンプレートＴに対し、上記第４順序づけルールに基づいて順序づけが行われる。この場合、優先度が高い順に、図中左側にテキストオブジェクトＴｅ（「プリンター」のテキストが割り当てられている）が配置されかつ図中右側に画像オブジェクトＰｉ（用紙画像が割り当てられている）が配置されかつそれらテキストオブジェクトＴｅ及び画像オブジェクトＰｉに共通の１つの装飾Ｆが付されたテンプレートＴ１４、図中左側にテキストオブジェクトＴｅ（「プリンター」のテキストが割り当てられている）が配置されかつ図中右側に画像オブジェクトＰｉ（用紙画像が割り当てられている）が配置されかつ図中左側のテキストオブジェクトＴｅと図中右側の画像オブジェクトＰｉに別々の装飾Ｆが付されたテンプレートＴ１５、図中左側にテキストオブジェクトＴｅ（「プリンター」のテキストが割り当てられている）が配置されかつ図中右側に画像オブジェクトＰｉ（用紙画像が割り当てられている）が配置されかつ図中左側のテキストオブジェクトＴｅのみに装飾Ｆが付されたテンプレートＴ１６、と順序づけされる。その後、上記選択画面１７ｂにおいて、各テンプレートＴのテキストオブジェクトＴｅに上記編集画面１７ａにおいてユーザが入力した「てすと」のテキストが割り当てられかつ画像オブジェクトＰｉに上記編集画面１７ａにおいてユーザが選択したビジネスバッグ画像が割り当てられた状態で、上記テンプレートＴ１４が最上段、上記テンプレートＴ１５がその下段、上記テンプレートＴ１６がさらに下段に表示される。
【００８６】
本変形例においても、上記実施形態と同様の効果を得る。また、本変形例では、上記選択された複数の印字オブジェクトと同一種類の同数の印字オブジェクトを含むとともに当該同数の印字オブジェクトのうち少なくとも１つに装飾Ｆが付された複数のテンプレートＴに対し、当該装飾Ｆの態様に係わる第４順序づけルールに基づいて順序づけが行われる。これにより、ユーザが選択した複数の印字オブジェクトを含み、それらのうち少なくとも１つに対し装飾Ｆが付された複数のテンプレートＴを、装飾の有無・形状等に係わる適宜のルール（第４順序づけルール）に沿った順番で確実に表示することができる。
【００８７】
（４）テンプレート内の複数の印字オブジェクトを選択する場合
上記実施形態等においては、タッチパネル１７に、複数の印字オブジェクトが配置されたラベルイメージＬＩを含む編集画面１７ａが表示された状態で、ユーザがタッチパネル１７上の複数の印字オブジェクトをタッチした後、当該複数の印字オブジェクトに対し所定パターンの接触操作を行うことで、操作端末２において順序づけが開始される場合を説明したが、これに限られない。
【００８８】
すなわち、本変形例では、タッチパネル１７に、複数のテンプレートＴが表示されたテンプレート画面（図示せず）が表示された状態で、ユーザがタッチパネル１７上の１つのテンプレートＴをタッチすると、当該テンプレートＴを構成する複数の印字オブジェクトが配置された上記ラベルイメージＬＩを含む編集画面（図示せず）が表示される。そして、この編集画面が表示された状態で、ユーザがタッチパネル１７上の複数の印字オブジェクトをタッチした後、当該複数の印字オブジェクトに対し所定パターンの接触操作を行うことで、操作端末２において順序づけが開始される。
【００８９】
本変形例においても、上記実施形態等と同様の効果を得る。
【００９０】
（５）印字オブジェクトの種類を表すアイコンを配置する場合
上記実施形態等においては、編集画面１７ａのラベルイメージＬＩ内に、内容（例えばテキストや画像、バーコード等）が割り当てられた印字オブジェクトが配置され、ユーザがタッチパネル１７上の複数の印字オブジェクト（内容が割り当てられている）をタッチした後、当該複数の印字オブジェクトに対し所定パターンの接触操作を行うことで、操作端末２において順序づけが開始される場合を説明したが、これに限られない。
【００９１】
すなわち、本変形例では、ユーザがタッチパネル１７に対し適宜の接触操作を行って印字オブジェクトの位置を指定しつつ印字オブジェクトの種類を選択すると、上記編集画面１７ａのラベルイメージＬＩ内の上記指定された位置に上記設定された印字オブジェクトの種類を表すアイコン（図示せず）が配置される。そして、タッチパネル１７に、複数の印字オブジェクトのアイコンが配置されたラベルイメージＬＩを含む編集画面１７ａが表示された状態で、ユーザがタッチパネル１７上の複数の印字オブジェクトのアイコンをタッチした後、当該複数の印字オブジェクトのアイコンに対し所定パターンの接触操作を行うことで、操作端末２において順序づけが開始される。
【００９２】
本変形例においても、上記実施形態等と同様の効果を得る。
【００９３】
（６）その他
上記実施形態等では、タッチパネル１７上の２つの印字オブジェクトがタッチされて当該２つの印字オブジェクトと同一種類の同数の印字オブジェクトを含む複数のテンプレートＴに対し順序づけを行う場合を説明したが、タッチパネル１７上の３つ以上の印字オブジェクトがタッチされて当該３つ以上の印字オブジェクトと同一種類の同数の印字オブジェクトを含む複数のテンプレートＴに対し順序づけを行うことも可能である。この場合も同様の効果を得る。
【００９４】
また、上記実施形態等では、順序づけの開始指示として、タッチパネル１７上の印字オブジェクトに対する所定パターンの接触操作が受け付けられる場合を説明したが、これに限られない。例えば、順序づけの開始指示として、タッチパネル１７上の適宜の開始ボタンに対する接触操作が受け付けられてもよく、また、操作端末２の振り回し操作が受け付けられてもよい。この場合も同様の効果を得る。
【００９５】
また、以上の説明において、「垂直」「平行」「平面」等の記載がある場合には、当該記載は厳密な意味ではない。すなわち、それら「垂直」「平行」「平面」等とは、設計上、製造上の公差、誤差が許容され、「実質的に垂直」「実質的に平行」「実質的に平面」等という意味である。
【００９６】
また、以上の説明において、外観上の寸法や大きさが「同一」「等しい」「異なる」等の記載がある場合は、当該記載は厳密な意味ではない。すなわち、それら「同一」「等しい」「異なる」等とは、設計上、製造上の公差、誤差が許容され、「実質的に同一」「実質的に等しい」「実質的に異なる」等という意味である。但し、例えばしきい値や基準値等、所定の判定基準となる値あるいは区切りとなる値の記載がある場合は、それらに対しての「同一」「等しい」「異なる」等は、上記とは異なり、厳密な意味である。
【００９７】
また、図１及び図２中に示す矢印は、信号の流れの一例を示すものであり、信号の流れ方向を限定するものではない。
【００９８】
また、図８に示すフローチャートは、本発明を図示する手順に限定するものではなく、発明の趣旨及び技術的思想を逸脱しない範囲内で手順の追加・削除又は順番の変更等をしてもよい。
【００９９】
また、以上既に述べた以外にも、上記実施形態や各変形例による手法を適宜組み合わせて利用してもよい。
【０１００】
その他、一々例示はしないが、本発明は、その趣旨を逸脱しない範囲内において、種々の変更が加えられて実施されるものである。
【符号の説明】
【０１０１】
２                操作端末（端末）
１２              ＣＰＵ（演算部）
１６              大容量記憶装置（記憶部）
１７              タッチパネル（表示部）
Ｂａ              バーコードオブジェクト（印字オブジェクト）
Ｄａ              日付オブジェクト（印字オブジェクト）
Ｐｈ              写真トオブジェクト（印字オブジェクト）
Ｐｉ              画像オブジェクト（印字オブジェクト）
Ｔ                テンプレート
Ｔｅ              テキストオブジェクト（印字オブジェクト）
【図１】
0006443285.tif 000002
【図２】
0006443285.tif 000003
【図３】
0006443285.tif 000004
【図４】
0006443285.tif 000005
【図５】
0006443285.tif 000006
【図６】
0006443285.tif 000007
【図７】
0006443285.tif 000008
【図８】
0006443285.tif 000009
【図９】
0006443285.tif 000010
【図１０】
0006443285.tif 000011
【図１１】
0006443285.tif 000012